(57)【特許請求の範囲】
【請求項１】
伸縮可能なバンドからなり一端が右肩に掛けられる右肩把持バンドと、
伸縮可能なバンドからなり一端が左肩に掛けられる左肩把持バンドと、
伸縮可能なバンドからなり一端が右足の一部に掛けられる右足把持バンドと、
伸縮可能なバンドからなり一端が左足の一部に掛けられる左足把持バンドとからなり、
該右肩把持バンドの他端、該左肩把持バンドの他端、該右足把持バンドの他端、及び該左足把持バンドの他端は、人体の前方であって略へそに対向する場所において一点収束して互いに結合され中央結合点をなし、
該右足把持バンドは、該中央結合点から、右太股の前側、右足の外側、右足の膝の裏側にある大腿三頭筋、右足の内側、右足のふくらはぎ、及び右足の内側のくるぶしのすぐ上にこの順で接触するように螺旋状に巻回され、該右足把持バンドの一端は、足首に最も近い位置で足の甲から足の裏にかけて巻回したような状態で掛けられ、
該左足把持バンドは、該中央結合点から、左太股の前側、左足の外側、左足の膝の裏側にある大腿三頭筋、左足の内側、左足のふくらはぎ、及び左足の内側のくるぶしのすぐ上にこの順で接触するように螺旋状に巻回され、該左足把持バンドの一端は、足首に最も近い位置で足の甲から足の裏にかけて巻回したような状態で掛けられ、
該右肩把持バンド、該左肩把持バンド、該右足把持バンド、及び、該左足把持バンドのそれぞれの収縮力により右肩、左肩、右足、及び左足を該中央結合点へ引寄せることを特徴とする姿勢改善バンド。
【発明の詳細な説明】
【０００１】
【産業上の利用分野】
本発明は姿勢改善バンドに関し、特にシャツ、ズボン等の内側に装着され、日常生活において使用されることにより姿勢の改善を行う姿勢改善バンドに関する。
【０００２】
【従来の技術】
従来より、姿勢の矯正を行う姿勢矯正バンドが知られている。この姿勢矯正バンドは、装着している状態であることが一見して他人から分からないように、シャツ等の内側等に装着されて用いられる。この姿勢矯正バンドは、バンド本体とバンド本体から延出する複数本からなる本体支持ベルトとを有しており、上半身に装着される。バンド本体は人体の背中に接触する。本体支持ベルトは、人体の腹部及び肩等を巻回することによりバンド本体を所定の位置に支持すると共に、人体の腹部及び肩等をバンド本体の位置する背中の方向に引っ張る。このことにより、２つの肩胛骨が互い引寄せられ、上半身が胸を張ったような状態となり姿勢の矯正が行われる。
【０００３】
【発明が解決しようとする課題】
しかし、従来の姿勢矯正バンドでは、上述のように肩胛骨を互いに引寄せて、見た目が美しい上半身の姿勢を強制的に形づくっていた。従って、従来の姿勢矯正バンドで矯正されるのは、上半身といった体の一部だけであり、人体のアラインメント、即ち、体全体の筋骨格系の重力方向への働きについては考慮されておらず、結果的に、体全体としては不自然な姿勢が強要されていた。具体的には、骨盤の向きが不適切な状態のまま上体のみが矯正されるため、脊椎や骨盤の関節に負担がかかるといった具合である。
【０００４】
このため、体に疲労が生じてしまい、長時間に渡り姿勢矯正バンドを装着することはできなかった。また、不自然な姿勢が強要されるため、却って上半身を丸めて猫背にしようとしてしまい、姿勢矯正バンドを装着していないときの姿勢が余計に悪くなってしまうという問題が生じていた。より具体的には、老人は一般に骨盤が後傾し、重心が後方に位置している。このため、従来の姿勢矯正バンドにより上半身の姿勢を矯正すると、上半身が後方に反り返る傾向となるために上半身も後傾し、立った姿勢での重心は一層後位となり安定性を欠く。姿勢を安定させるためには矯正された上半身を前傾しなければならず、老人にとっては姿勢矯正バンドの着用が却って逆効果となることもある。
【０００５】
また、猫背のひどい人や高齢者等で前かがみの姿勢になっている人は、姿勢が良く背筋の伸びている人と比較して骨盤が後方に位置していることが多いが、従来の姿勢矯正バンドでは、上半身の姿勢を矯正することはできたとしても、骨盤まで適正な位置に矯正することはできなかった。
【０００６】
そこで本発明は、強制的に姿勢を矯正するのではなく、良肢位、即ち、適正な筋骨系の重力方向への働きを身体に習得させる姿勢改善バンドを提供することを目的とする。
【０００７】
【課題を解決するための手段】
上記目的を達成するために、本発明は、伸縮可能なバンドからなり一端が右肩に掛けられる右肩把持バンドと、伸縮可能なバンドからなり一端が左肩に掛けられる左肩把持バンドと、伸縮可能なバンドからなり一端が右足の一部に掛けられる右足把持バンドと、伸縮可能なバンドからなり一端が左足の一部に掛けられる左足把持バンドとからなり、該右肩把持バンドの他端、該左肩把持バンドの他端、該右足把持バンドの他端、及び該左足把持バンドの他端は、人体の前方であって略へそに対向する場所において一点収束して互いに結合され中央結合点をなし、該右足把持バンドは、該中央結合点から、右太股の前側、右足の外側、右足の膝の裏側にある大腿三頭筋、右足の内側、右足のふくらはぎ、及び右足の内側のくるぶしのすぐ上にこの順で接触するように螺旋状に巻回され、該右足把持バンドの一端は、足首に最も近い位置で足の甲から足の裏にかけて巻回したような状態で掛けられ、該左足把持バンドは、該中央結合点から、左太股の前側、左足の外側、左足の膝の裏側にある大腿三頭筋、左足の内側、左足のふくらはぎ、及び左足の内側のくるぶしのすぐ上にこの順で接触するように螺旋状に巻回され、該左足把持バンドの一端は、足首に最も近い位置で足の甲から足の裏にかけて巻回したような状態で掛けられ、該右肩把持バンド、該左肩把持バンド、該右足把持バンド、及び、該左足把持バンドのそれぞれの収縮力により右肩、左肩、右足、及び左足を該中央結合点へ引寄せる姿勢改善バンドを提供している。
【０００８】
【発明の実施の形態】
本発明の実施の形態による姿勢改善バンドについて図１乃至図４に基づき説明する。姿勢改善バンド１は、図１に示すように、右肩把持バンド１０と、左肩把持バンド２０と、右足把持バンド３０と、左足把持バンド４０とを備えている。これらは細長い帯状の、伸縮可能なバンドからなる。
【０００９】
右肩把持バンド１０の一端には、右肩把持バンド１０を構成するバンドの一部がリング状とされて構成された右肩掛け部１０Ａが設けられている。より詳細には、右肩掛け部１０Ａは、右肩把持バンド１０を構成するバンドの一部が折り返され、右肩把持バンド１０を構成するバンドの他の部分に重ねられ、固定具１１によって長さ調整可能に固定されることにより構成されている。右肩掛け部１０Ａは、そのリング状の部分に右腕が通されて、右肩を巻回したような状態で掛けられる。
【００１０】
左肩把持バンド２０の一端には、左肩把持バンド２０を構成するバンドの一部がリング状とされて構成された左肩掛け部２０Ａが設けられている。より詳細には、左肩掛け部２０Ａは、左肩把持バンド２０を構成するバンドの一部が折り返され、左肩把持バンド２０を構成するバンドの他の部分に重ねられ、固定具２１によって長さ調整可能に固定されることにより構成されている。左肩掛け部２０Ａは、そのリング状の部分に左腕が通されて、左肩を巻回したような状態で掛けられる。
【００１１】
右肩掛け部１０Ａと左肩掛け部２０Ａとの間には、両者の間を渡すようにして設けられた肩掛け部間距離保持部５０が設けられている。肩掛け部間距離保持部５０も、伸縮可能なバンドにより構成されている。肩掛け部間距離保持部５０の両端はリング状をなしており、このリング状の部分により画成される中央の空間を、それぞれ右肩掛け部１０Ａをなすバンド、左肩掛け部２０Ａをなすバンドが移動可能に貫通している。この構成により、右肩掛け部１０Ａをなすバンド、左肩掛け部２０Ａをなすバンドに対する肩掛け部間距離保持部５０の位置関係は可変となっている。肩掛け部間距離保持部５０が設けられていることにより、右肩掛け部１０Ａと左肩掛け部２０Ａとの間の距離を所定値以内に抑えることができ、このことにより、左右肩掛け部１０Ａ、２０Ａが肩からずり落ちてしまうのを防止することができる。
【００１２】
右足把持バンド３０の一端には、右足把持バンド３０を構成するバンドの一部がリング状とされて構成された右足掛け部３０Ａが設けられている。より詳細には、右足掛け部３０Ａは、右足把持バンド３０を構成するバンドの一部が折り返され、右足把持バンド３０を構成するバンドの他の部分に重ねられ、固定具３１によって長さ調整可能に固定されることにより構成されている。右足掛け部３０Ａは、そのリング状の部分に右足先が通されて、右足首に最も近い位置で右足の甲から右足の裏にかけて巻回したような状態で掛けられる。
【００１３】
左足把持バンド４０の一端には、左足把持バンド４０を構成するバンドの一部がリング状とされて構成された左足掛け部４０Ａが設けられている。より詳細には、左足掛け部４０Ａは、左足把持バンド４０を構成するバンドの一部が折り返され、左足把持バンド４０を構成するバンドの他の部分に重ねられ、固定具４１によって長さ調整可能に固定されることにより構成されている。左足掛け部４０Ａは、そのリング状の部分に左足先が通されて、左足首に最も近い位置で左足の甲から左足の裏にかけて巻回したような状態で掛けられる。
【００１４】
右肩把持バンド１０と左肩把持バンド２０とは連続した一本のバンドにより構成されている。この一本のバンドは、その長手方向中央部で折り返されており、折り返された位置よりも一方の側は右肩把持バンド１０をなし、他方の側は左肩把持バンド２０をなす。折り返された位置には、バックルの雄部６１がバンドに固定された状態で設けられており、このバックルの雄部６１は、後述するバックルの雌部６２と係脱可能である。
【００１５】
同様に、右足把持バンド３０と左足把持バンド４０とは連続した一本のバンドにより構成されている。この一本のバンドはその長手方向の中央部で折り返されており、折り返された位置よりも一方の側は右足把持バンド３０をなし、他方の側は左足把持バンド４０をなす。折り返された位置には、バックルの雌部６２がバンドに固定された状態で設けられており、このバックルの雌部６２はバックルの雄部６１と係脱可能である。身体に姿勢改善バンド１が装着されているときには、バックルの雄部６１と雌部６２とが係合しており、このとき姿勢改善バンド１は、右肩把持バンド１０の他端、左肩把持バンド２０の他端、右足把持バンド３０の他端、及び左足把持バンド４０の他端において、バックルの雄部６１と雌部６２とからなるバックルの中心の位置で一点収束して互いに結合された状態となっている。バックルの中心の位置は中央結合点をなし、身体に姿勢改善バンド１が装着装着されているときには、体の前方であって略へそに対向する場所にバックルの中心が位置するように、各固定具１１、２１、３１、４１によって長さ調整がなされる。
【００１６】
バックルが設けられているため、姿勢改善バンド１を、右肩把持バンド１０と左肩把持バンド２０とからなる上半身部分と、右足把持バンド３０と左足把持バンド４０とからなる下半身部分とに分離可能とすることができる。このため、日常生活において姿勢改善バンドを装着している時にトイレに行きたくなった場合でも、姿勢改善バンド１を上下二つの部分に分離することにより、容易に用を足すことができ、その後、容易に元の装着状態に戻すことができる。
【００１７】
姿勢改善バンド１を装着する際には、先ず、バックルの雄部６１と雌部６２とを係合させる。次に、肩掛け部間距離保持部５０、右肩掛け部１０Ａ、左肩掛け部２０Ａ、及びバックル雄部６１によって画成されるリング状の部分に首を通し、肩掛け部間距離保持部５０が背中に、バックルの雄部６１が体の前側にくるようにする。次に、右肩掛け部１０Ａ、左肩掛け部２０Ａに右腕、左腕をそれぞれ通してゆき、それぞれの肩に掛けるようにする。
【００１８】
次に、図２乃至図４に示すように、右足把持バンド３０、左足把持バンド４０を右足、左足にそれぞれ螺旋状に巻回してゆく。より具体的には、右足把持バンド３０を右太股の前側に接触させ、右足の外側に持ってゆき、右足の膝の裏側にある大腿三頭筋に接触させる。そして、右足の内側に持ってゆき、右足のふくらはぎに接触させ、右足の内側のくるぶしのすぐ上に接触させる。左足把持バンド４０についても同様に、左太股の前側に接触させ、左足の外側に持ってゆき、左足の膝の裏側にある２本の筋のうちの左側の方、即ち、大腿三頭筋に接触させる。そして、左足の内側に持ってゆき、左足のふくらはぎに接触させ、左足の内側のくるぶしのすぐ上に接触させる。
【００１９】
次に、右足掛け部３０Ａ、左足掛け部４０Ａに右足先、左足先からそれぞれ通してゆき、右足掛け部３０Ａ、左足掛け部４０Ａを、足首に最も近い位置で足の甲から足の裏にかけて巻回したような状態で掛ける。最後に、固定具１１、２１、３１、４１の部分で右肩把持バンド１０、左肩把持バンド２０、右足把持バンド３０、左足把持バンド４０の長さをそれぞれ調整し、中央結合点をなすバックルの中心位置がへその位置にほぼ一致するようにして、姿勢改善バンド１の装着が完了する。
【００２０】
ユーザが姿勢改善バンド１を装着している状態のときには、右肩把持バンド１０、左肩把持バンド２０、右足把持バンド３０、左足把持バンド４０のそれぞれの収縮力により右肩、左肩、右足、左足を中央結合点へ引寄せる力が生じる。ユーザは、この力に抗して背筋を伸ばそうとして骨盤を適正な前傾した角度にするとともに骨盤の位置を適正な位置に移動させ、上体を起こして背筋を伸ばす。この結果、体の重心位置が適正化され、身体のアラインメント、即ち、筋骨格系の重力方向への働きが適正な状態となり、体全体として良い姿勢をユーザ自らが形づくり、自らの身体をもってこの適正なアラインメントを習得することができる。従って、姿勢改善バンド１を外した後にも、ユーザが自ら自然に適正な身体のアラインメントとなるように体が動作するようになる。
【００２１】
また、上述の右肩、左肩、右足、左足を中央結合点へ引寄せる力が、腹筋群をサポートすることになり、各種の運動を行う際に使われていた脊柱起立筋群等のいわゆる大きな筋肉の過剰な収縮活動を抑制することができる。このため、腹筋群や脊柱起立筋群等の筋肉痛や筋肉疲労を大幅に軽減することができ、脊柱の可動性を向上させることができ、脊柱の本来持っている能力を引き出すことができる。また、身体の運動システムをより正常化へ導くことが可能となるため、胸郭、腹部の呼吸運動が向上し、呼吸運動を適正化することができる。このため、有酸素運動を行う際の酸素使用量も軽減することができる。また、腹筋群やいわゆる大きな筋肉がサポートされるため、関節をまたぐような状態で存在しているいわゆる小さな筋肉が無理なく効果的に使われるようになり、体全体の筋肉をバランス良く使用することができる。例えば、歩行する際の足に着目すれば、足全体がバンドの張力に抗することで伸展作用が加わり、足を上げるのに使用される足の屈筋群が、拮抗作用により足全体として効率よく使用することができるようになる。このため、部分的に無理がかかるような筋肉の使用を防止することができ、足の筋肉疲労を大幅に軽減することができる。足以外の体の他の部分についても同様である。
【００２２】
また、姿勢改善バンド１装着時には、右足把持バンド３０、左足把持バンド４０が右足、左足の右側、左側の大腿三頭筋にそれぞれ接触しており、右足把持バンド３０、左足把持バンド４０それぞれの収縮力により大腿三頭筋が足の外方から内方へ向けて圧迫される。このため、姿勢を良くしようという意識をユーザに起こさせることができ、姿勢改善を促進することができる。
【００２３】
本発明による姿勢改善バンドは上述した実施の形態に限定されず、特許請求の範囲に記載した範囲で種々の変形や改良が可能である。例えば、右足把持バンド、左足把持バンドの長さを、本実施の形態による姿勢改善バンドのものよりもずっと短くして、右足掛け部、左足掛け部を右足、左足の太股の付け根に掛けるようにしてもよい。この場合でも、中央結合点が体の重心の位置である略へそに対向する場所に位置するようにする必要がある。この場合には、右足把持バンド、左足把持バンドを構成するバンドに、右肩把持バンド、左肩把持バンドを構成するバンドよりも遙かにテンションの高いものを用いればよい。
【００２４】
装着するときには、一旦、固定具により固定されている右足掛け部、左足掛け部を構成するバンドを固定具から開放する。次に、右足掛け部、左足掛け部を構成するバンドを右足、左足の太股の付け根に一周巻回することにより掛けた後に、固定具によって固定すればよい。
【００２５】
また、本実施の形態による姿勢改善バンドでは、互いに係脱可能なバックル雄部６１、バックル雌部６２を設けたが、これらを設けなくても良い。この場合には、右肩把持バンドの他端、左肩把持バンドの他端、右足把持バンドの他端、及び左足把持バンドの他端を、一点収束して互いに結合し中央結合点をなすための金具等で係止する構成とすればよい。
【００２６】
また、肩掛け部間距離保持部の略中央部分にバックルを設けて、肩掛け部間距離保持部を２つの部分に分離可能としてもよい。このようにすることにより、姿勢改善バンドの装着がより容易となる。
【００２７】
【発明の効果】
請求項１記載の姿勢改善バンドによれば、右肩把持バンド、左肩把持バンド、右足把持バンド、左足把持バンドのそれぞれの収縮力により右肩、左肩、右足、左足を中央結合点へ引寄せる力が生じるため、ユーザは、この力に抗して背筋を伸ばそうとして骨盤を適正な前傾した角度にするとともに骨盤の位置を適正な位置に移動し、上体を起こして背筋を伸ばす。この結果、身体のアラインメント、即ち、筋骨格系の重力方向への働きが適正な状態となり、体全体として良い姿勢をユーザ自らが形づくり、自らの身体をもってこの適正なアラインメントを習得することができる。このことにより、骨盤の向きが不適切であることに起因するＯ脚、Ｘ脚等をも直すことができる。
【００２８】
また、腹筋群をサポートすることにより脊柱起立筋群の余計な収縮活動を抑制することが可能になり、脊柱の可動性を向上させ、脊柱の本来持っている能力を引き出すことができる。また、膝関節の負担を減らすことができ、腰痛、膝関節痛、肩関節痛等の四肢体幹の関節痛の軽減及び予防をすることができる。また、立ちしゃがみ動作や階段昇降などの動作を理想的な筋肉の使用状態で行うことができる。
【００２９】
また、身体の運動システムをより正常化へ導くことが可能となるため、胸郭、腹部の呼吸運動の向上を図ることができ、ヒトの基本的な運動である呼吸運動を適切に行えるよう変化させることができる。このため、適正な姿勢でより持続的な歩行が可能となる。
【図面の簡単な説明】
【図１】本発明の実施の形態による姿勢改善バンドを示す正面図。
【図２】本発明の実施の形態による姿勢改善バンドを人体に装着した様子を示す正面図。
【図３】本発明の実施の形態による姿勢改善バンドを人体に装着した様子を示す側面図。
【図４】本発明の実施の形態による姿勢改善バンドを人体に装着した様子を示す背面図。
【符号の説明】
１      姿勢改善バンド
１０    右肩把持バンド
２０    左肩把持バンド
３０    右足把持バンド
４０    左足把持バンド
６１    バックルの雄部
６２    バックルの雌部
【図１】
0003663168.tif 000002
【図２】
0003663168.tif 000003
【図３】
0003663168.tif 000004
【図４】
0003663168.tif 000005